(57)【要約】【課題】上皿から遊技球通路に侵入する粉塵や液体を遊技球通路から除去可能で、かつ、球抜取装置の小型化可能な遊技機を提供する。【解決手段】遊技球通路２１は、遊技球の直径より少しだけ広い間隔をあけて配置される一対の側壁部２２を備える。一対の側壁部２２の下端部には、レール状部材２３が側壁部２２の内側面から対向する側壁部２２に向かって突出している。レール状部材２３は、遊技球通路２１を一列に流下する遊技球を、２点で支持している。一対のレール状部材２３の間は、開放されており、上皿側から侵入する粉塵や、液体を下方に落下して除去可能である。球抜取装置３１は、一方のレール状部材２３の一部を出没部材３２として、一方の側壁部２２から出没自在としている。出没部材３２が一方の側壁部２２に没する状態で、球抜取装置３１から遊技球を抜き取ることが可能になっている。【選択図】図３
2013226171.tif 000002
【特許請求の範囲】
【請求項１】
遊技球を遊技領域に発射する発射装置に遊技球を一列に整列させて供給する遊技球通路と、前記遊技球通路から遊技球を抜き取るための球抜取装置とを備える遊技機において、
前記遊技球通路は、遊技球を２点で支持しながら流下させる一対のレール状部材を備え、一対の前記レール状部材は、前記遊技球通路の経路に沿って遊技球の直径より短い略一定の間隔で延在するとともに遊技球の供給方向に向かって下り傾斜し、これらレール状部材の間が開放された空間にされ、
前記球抜取装置では、少なくとも一方の前記レール状部材の一部を他方のレール状部材から離れる方向に移動自在に設けることにより、一対の前記レール状部材の間隔を、遊技球の直径より狭い間隔と、遊技球の直径以上の間隔との間で変更可能になっていることを特徴とする遊技機。
【請求項２】
前記遊技球通路は、遊技球の直径より少し広い間隔をあけて左右に配置された一対の側壁部を備え、
前記レール状部材が、一対の前記側壁部の互いに対向するそれぞれの内側面の下部から対向する前記内側面に向かって突出して設けられ、
前記球抜取装置は、一対の前記側壁部のうちの一方の側壁部の前記レール状部材の前記一部として前記レール状部材の終端側の一部を、前記レール状部材とは別部材である出没部材にするとともに、この出没部材を、前記側壁部の内側面に対して出没自在にすることにより、一対の前記レール状部材の間隔を、遊技球の直径より狭い間隔と、遊技球の直径以上の間隔との間で変更可能にし、
前記出没部材が一方の前記側壁部の内側面から突出する場合に、遊技球が前記出没部材を含む一対の前記レール状部材に支持され、
前記出没部材が一方の前記側壁部の内側面側に没する場合に、前記遊技球が前記遊技球通路の下側に落下することにより遊技球の抜き取りを可能にすることを特徴とする請求項１に記載の遊技機。
【発明の詳細な説明】
【技術分野】
【０００１】
本発明は、遊技領域に向けて遊技球を発射する遊技球発射装置に遊技球を供給するための遊技球通路と、この遊技球通路から遊技球を抜き取る球抜取装置を備えた遊技機に関する。
【背景技術】
【０００２】
パチンコ遊技機等の遊技球を用いる遊技機（弾球遊技機）においては、遊技領域に遊技球を流下させることにより、遊技が行われる。
そのため、パチンコ遊技機等は、遊技球を遊技領域内に流下させるように、遊技球を発射する遊技球発射装置を備える。遊技球発射装置には、自動的に遊技球が供給される。この遊技球発射装置は、遊技者の発射操作に基づき、発射可能な遊技球がある間、略所定の間隔で遊技球を順次発射するようになっている。
【０００３】
また、パチンコ遊技機は、入賞口に遊技球が入賞することにより、賞球としての遊技球が払い出されるようになっており、払い出される遊技球は、パチンコ遊技機の前面の下部から前方に突出するように設けられた上皿に払い出される。上皿は、上述のように賞球として払い出される遊技球や、貸球として払い出される遊技球を貯留可能で、上方が開放されるとともに比較的底が浅い容器状になっている。
【０００４】
この上皿には、上述の払い出される遊技球が流入する流入部が備えられるとともに、多くの遊技球が払い出されて上皿が略満杯になる場合に、流入部側から下皿に遊技球を溢れ出させる溢出口が設けられている。
【０００５】
また、上皿には、遊技球発射装置に遊技球を供給する供給経路が接続されている。この供給経路は、遊技球を一列に整列させた後に、遊技球発射装置に遊技球を１個ずつ供給する整流装置まで、遊技球を一列に流下させる遊技球通路を備えている。
また、この遊技球通路には、遊技球を抜き取るための球抜取装置が設けられており、遊技球通路の球抜取装置の上流側にある遊技球を抜き取って下皿に排出できるようになっている。この球抜取装置は、例えば、遊技機での遊技をやめるような場合に、供給経路にある遊技球およびその上流側から流入する遊技球を順次回収するためのものである。
上述の下皿は、上皿の下方に設けられ、遊技球を貯留可能に上方が開放した容器状の部材であり、底部に開閉可能な開口部を有し、遊技球を下方配置される箱に排出可能になっている。また、下皿には、遊技球発射装置で発射されたにもかかわらず遊技領域に至らなかったり、遊技領域から戻ったりした遊技球が排出されるようになっている。
球抜取装置としては、例えば、球を抜取っている間も遊技球発射装置側に遊技球が供給されるものが提案されている（例えば、特許文献１参照）。
【先行技術文献】
【特許文献】
【０００６】
【特許文献１】特許３８１１７２５号公報
【発明の概要】
【発明が解決しようとする課題】
【０００７】
ところで、上皿は、上方を開放した状態で遊技球を貯留するので、遊技者が例えばタバコの灰を落としたり、飲み物をこぼしたりすることがある。この場合に、飲み物等の液体は、遊技球を流下させるために下り傾斜している遊技球経路側に流れてしまい、遊技球通路の底面を濡らしたり、液体に含まれる糖分等が濃縮されてべたついたりすることになり、遊技球の流下を妨げる恐れがある。
また、灰等の粉塵は、遊技球を汚したり、通路を汚したりすることになり、さらに、上述の液体と合わさると、遊技球の流下を妨げる場合もある。
【０００８】
また、遊技機には、賞球となる遊技球を上皿に供給する経路や、各種制御基板および中継基板や、変動表示ゲーム等を表示する可変表示装置としての液晶ディスプレイや、遊技領域から入賞口やアウト口を介して排出される遊技球の回収経路、遊技球発射装置、遊技球払出装置などが限られた空間に配置されており、遊技球通路の内部を清掃することが難しい。
【０００９】
また、上述のように遊技機内には、様々な部材が配置されることにより、スペースに余裕がなく、遊技機内に配置される部材の小型化が望まれている。
例えば、上述の球抜取装置が専有するスペースを小さくすることが望まれている。なお、球抜取装置は、上述の特許文献１の装置も含めて、球を抜き取る際に、球を抜き取るための部材を、基本的に遊技球の直径（例えば１１ｍｍ）以上移動させる必要があり、球抜取装置には、設置スペースに加え、この球を抜き取るための部材の移動操作に要するスペースが専有スペースとして最低限必要になる。
【００１０】
また、不正行為の一つとして、遊技店で借りる遊技球ではなく、外部から遊技球を持ち込んで、この遊技球で不正に遊技をしたり、不正に持ち込んだ遊技球を計数して、景品交換したりすることが行われる場合がある。この場合に、持ち込んだ不正遊技球で遊技をする際に、通常の遊技球より直径の小さな球（以下、小球と称する）を用い、各種入賞口への入賞率を高める不正が行われる場合がある。なお、小球は、通常の遊技球と見比べられた際に、直ぐに径が小さいことがわからないように、通常の遊技球との径の差がそれほど大きくされていない。
【００１１】
本発明は、前記事情に鑑みて為されたもので、上皿から遊技球通路に侵入する塵等のゴミや液体を遊技球通路から除去可能で、かつ、操作を含む球抜取装置の専有スペースが小型化可能な遊技機を提供することを目的とする。
【課題を解決するための手段】
【００１２】
前記課題を解決するために、本発明の遊技機は、遊技球を遊技領域に発射する発射装置に遊技球を一列に整列させて供給する遊技球通路と、前記遊技球通路から遊技球を抜き取るための球抜取装置とを備える遊技機において、
前記遊技球通路は、遊技球を２点で支持しながら流下させる一対のレール状部材を備え、一対の前記レール状部材は、前記遊技球通路の経路に沿って遊技球の直径より短い略一定の間隔で延在するとともに遊技球の供給方向に向かって下り傾斜し、これらレール状部材の間が開放された空間にされ、
前記球抜取装置では、少なくとも一方の前記レール状部材の一部を他方のレール状部材から離れる方向に移動自在に設けることにより、一対の前記レール状部材の間隔を、遊技球の直径より狭い間隔と、遊技球の直径以上の間隔との間で変更可能になっていることを特徴とする。
【００１３】
また、前記遊技球通路は、遊技球の直径より少し広い間隔をあけて左右に配置された一対の側壁部を備え、
前記レール状部材が、一対の前記側壁部の互いに対向するそれぞれの内側面の下部から対向する前記内側面に向かって突出して設けられ、
前記球抜取装置は、一対の前記側壁部のうちの一方の側壁部の前記レール状部材の前記一部として前記レール状部材の終端側の一部を、前記レール状部材とは別部材である出没部材にするとともに、この出没部材を、前記側壁部の内側面に対して出没自在にすることにより、一対の前記レール状部材の間隔を、遊技球の直径より狭い間隔と、遊技球の直径以上の間隔との間で変更可能にし、
前記出没部材が一方の前記側壁部の内側面から突出する場合に、遊技球が前記出没部材を含む一対の前記レール状部材に支持され、
前記出没部材が一方の前記側壁部の内側面側に没する場合に、前記遊技球が前記遊技球通路の下側に落下することにより遊技球の抜き取りを可能にすることが好ましい。
【発明の効果】
【００１４】
本発明によれば、遊技球を上皿側から遊技球発射装置側に流下させる遊技球通路が、一対のレール状部材からなるとともに、これらレール状部材の間が開放されているので、上皿側から粉塵や液体等が侵入してもこれらを下に落とすことにより、遊技球通路が汚れるのを抑制することができる。
【００１５】
ここで、遊技球通路に底板があると、塵等のゴミや液体を除去が難しくなるだけではなく、遊技球通路に球抜取装置を設けると、例えば、底板に、遊技球の径以上の大きさの開口部を設けるとともに、この開口部を開閉可能な開閉部材を設けることになる。この場合に、開閉部材を底板の上面の面方向に沿ってスライド移動させることにより、開口部を開閉することが一般的であり、開口部を閉から開とする場合の開閉部材の移動量は、遊技球の径以上になり、球抜取装置の専有スペースが大きくなってしまう。
【００１６】
それに対して、本発明では、一対のレール状部材の間が開放されているので、これらレール状部材の間隔を少し広げるだけで、遊技球の直径以上の間隔を開けることが可能になる。これにより遊技球を遊技球通路の下側に落下させることが可能になる。
以上のことから、球抜取装置におけるレール状部材の一部（出没部材）のレール状部材の長手方向に直交する方向の移動量は、遊技球の直径に対してかなり短くすることが可能になる。また、移動させるレール状部材の一部のレール状部材の長手方向に沿った長さを、遊技球の直径より短くすることが可能である。
これらのことから遊技球通路から遊技球を抜き取る球抜取装置の操作を含む専有スペースの小型化を図ることができる。
【００１７】
また、レール状部材間の間隔を不正行為で使われる小球の径より大きくし、かつ、正規の遊技球の径より小さくすれば、不正行為で使われる小球は、一対のレール状部材間で支持できずに下方に落下する。したがって、小球は、遊技球通路から遊技球発射装置に送られることがなく、不正行為用の小球が遊技領域内に発射されるのを防止できる。
【００１８】
また、一対のレール状部材を、左右に配置された一対の側壁部の互いに対向するそれぞれの内側面の下部から対向する前記内側面に向かって突出して設けることにより、一対のレール状部材からの遊技球の脱落を防止できるとともに、従来の遊技球通路の構造に対して、底板部分を一対のレール状部材に代えるだけで容易に本発明の遊技球通路を設けることができる。
【図面の簡単な説明】
【００１９】
【図１】本発明の実施の形態に係る遊技機を示す斜視図である。
【図２】前記遊技機のガラス扉を開放して遊技盤を露出させた斜視図である。
【図３】遊技球通路と、この遊技球通路に設けられた球抜取装置を示す斜視図である。
【図４】（ａ）は遊技球通路を示す断面図であり、（ｂ）は球抜取装置を示す断面図であり、（ｃ）は球抜取装置を示す断面図であり、（ｄ）は比較例の遊技球通路を示す断面図であり、（ｅ）は比較例の球抜取装置を示す断面図であり、（ｆ）は比較例の球抜取装置を示す断面図である。
【発明を実施するための形態】
【００２０】
本発明の実施の形態について図面を参照して説明する。
この実施の形態のパチンコ遊技機（遊技機）は、図１および図２に示すように、遊技店の島設備に設置される縦長の矩形状の機枠１と、機枠１に扉状に開閉自在に取り付けられた前面枠２と、前面枠２に収納された遊技盤３（図２に図示）と、前面枠２の前面に扉状に開閉自在に取り付けられ、中央に大きく開口部５が形成されたガラス扉４と、このガラス扉４の開口部５に取り付けられた透明な二重ガラス板６と、前記ガラス扉４の前面の前記二重ガラス板６の下に設けられ、遊技球を収容する上皿７および上皿７から溢れる遊技球を収容するとともに遊技球を一時的に貯留するための下皿８と、図１中、遊技機の正面の右下角部位置近傍に設けられる発射操作装置（ハンドル）９とを備える。また、図１中、上皿７の右側には、貸球の払出操作等を行う操作部１０が設けられている。
また、前面枠２の上部には、上皿７に払い出すための遊技球を貯留する貯留タンク２０が設けられている。
【００２１】
図２に示すように、遊技盤３の盤面には、略円形状のガイドレール１５に囲まれた遊技領域１２が設けられている。遊技盤３の遊技領域１２の図２中、左側には、ガイドレール１５に沿って、円弧状に、発射された遊技球を遊技領域１２に誘導する遊技球誘導路１３が設けられている。また、遊技球誘導路１３の下側には、この遊技球誘導路１３に向けて遊技球を発射する遊技球発射装置１４が設けられている。
【００２２】
この遊技球発射装置１４には、遊技球を発射する発射位置に向けて遊技球を一つずつ供給する整流装置（図示略）が設けられている。
上皿７は、収容された遊技球を遊技球発射装置１４の整流装置に向けて供給するようになっており、上皿７には、遊技球発射装置１４側に遊技球を流下させるための供給経路が接続されている。
【００２３】
この供給経路は、上皿７から流出する遊技球を一列に整列させる整列部（図示略）と、この整列部で一列にされた遊技球を遊技球発射装置１４側に流下させる遊技球通路２１（図３に図示）とを備える。
以上のことから、上皿７から供給経路に流出した遊技球は、一列に整列された後に遊技球通路２１を通って、遊技球発射装置１４の整流装置に至る。整流装置に至った遊技球は、整流装置から遊技球の発射位置に一個ずつ送られ、遊技球発射装置１４により、遊技球誘導路１３の下端側から上端側に向けて発射される。遊技球誘導路１３に発射された遊技球は、図２中、遊技領域１２の左上側から右側に向けて遊技領域１２内に流入する。
【００２４】
また、遊技球通路２１は、図３中、左側から右側に遊技球が流れるように傾斜しており、左側の端部が上皿７側に接続され、右側の端部が整流装置側に接続されるようになっている。
また、遊技球通路２１においては、遊技球の流下経路が終端側で後述するように屈曲（本実施の形態ではほぼ直角）しており、屈曲部位は遊技球が円滑に流下するように円弧状に形成されている。遊技球通路２１の曲がる前の遊技球の流下方向は、遊技盤３の盤面に沿った方向であり、曲がった後の遊技球の流下方向は、遊技機の前から後ろに向かう方向になっている。
【００２５】
また、遊技球通路２１の終端側端部には、遊技球通路２１から遊技球を抜き取るための球抜取装置３１が設けられている。
遊技球通路２１は、図３および図４（ａ）に示すように、屈曲部も含め左右に配置された一対の側壁部２２を備える。側壁部２２は、板状であるとともに、上下幅が遊技球の直径より少しだけ長くなっており、例えば、遊技球の直径に対して、数１０％程度長くなっている。
【００２６】
また、側壁部２２は、遊技球通路２１に沿って前後に延在している。一対の側壁部２２の互いに対向する内側面の下端部には、対向する内側面に向かって突出するレール状部材２３が設けられている。
【００２７】
すなわち、遊技球通路２１の側壁部２２には、左右に一対のレール状部材２３が設けられている。側壁部２２およびレール状部材２３は、一体に成形された樹脂製の部材となっている。なお、左側の側壁部２２およびレール状部材２３と、右側の側壁部２２とレール状部材２３とは、それぞれ別部材として設けられ、それぞれ他の部材に支持されるものとしてもよいし、これら左右の部材が他の部材と合わせて一体に成形されるものとしても良い。例えば、左右の側壁部２２の下端部または上端部間に所定間隔毎に架け渡される架材と、左右の側壁部２２およびレール状部材２３とが一体に成形されるものとしてもよい。
【００２８】
一対のレール状部材２３は、左右の側壁部２２からそれぞれ対向する側壁部２２に向かって突出することにより、左右の側壁部２２の下端部をそれぞれ内側に向けて直角に曲げた形状（屈曲させた形状）になっている。
【００２９】
また、一対のレール状部材２３の対向する側壁部２２の内側面に向かう先端部間の距離は、遊技球の直径より狭いものとなっている。なお、例えば、一対のレール状部材２３間の距離は、例えば、遊技球の直径より短く遊技球の直径の２／３より長いことが好ましい。レール状部材２３間の間隔が遊技球の直径以上だと、遊技球が落下することになり、遊技球の直径の２／３より狭いと、後述の球抜取装置の小型化が難しくなる。また、遊技球は、一対のレール状部材２３により２点で支持された状態で流下することになるが、支持する２点の間隔が短いと不安定になるので、上述のように一対のレール状部材の間隔は、遊技球の直径の２／３より広いことが好ましい。
【００３０】
また、これらのレール状部材２３どうしの間は開放された状態である。なお、遊技球通路２１の下側に別の部材があってもよいが、一対のレール状部材２３どうしの間の区間を閉塞しないように下側に離れている必要がある。また、レール状部材２３どうしの間隔は、不正行為で使用される上述の小球の直径より長く、通常の遊技球より短くなっていることが好ましい。
【００３１】
また、レール状部材２３は、断面形状が略矩形状とされ、その上面と下面とが略水平とされている。なお、レール状部材２３の流下方向に直交する方向の断面においては、その上面に対応する上辺と下面に対応する下辺とが水平であるが、後述のように、遊技球を流下させるために、レール状部材２３の上面および下面は、遊技球の流下方向に下り傾斜している。なお、傾斜角度は、水平に対して５度以上で、例えば、この実施形態では水平に対して７度の傾斜角度としている。
【００３２】
また、レール状部材２３の先端部の上側の角部は、斜めに面取りされた形状になっている。なお、面取り部分を断面円弧状にＲを付けてもよい。
また、左右の側壁部２２およびレール状部材２３は、それぞれ遊技球の流下方向に向かって下り傾斜するように設けられている。また、左右のレール状部材２３は、それぞれ対向する部分の高さ位置が略同じにされている。
【００３３】
また、側壁部２２およびレール状部材２３の屈曲部分においては、完全に直角に屈曲するのではなく、屈曲部の外側の側壁部２２および内側の側壁部２２が略１／４の円となるように湾曲して形成されている。また、湾曲部分の曲率半径の中心は、内側の側壁部２２と外側の側壁部２２とで同じにされている。
【００３４】
球抜取装置３１は、一方の側壁部２２のレール状部材２３の球抜取装置３１に含まれる部分を別部材である出没部材３２としたものである。また、出没部材３２は、その先端部が一方の側壁部２２の他方の側壁部２２に対向する内側面に対して突出した状態と、没した状態との間で移動可能になっている。
【００３５】
また、図３および図４（ｂ），（ｃ）においては、出没部材３２の基端部は、先端部に対して上下の厚さ寸法が大きく形成され、先端部に対して上側に突出した形状になっている。
出没部材の先端部の形状は、基本的にレール状部材２３と同様であり、その遊技球の流下方向に沿う長さが、略遊技球の直径程度になっている。
また、出没部材３２は、例えば、遊技球通路２１を支持している部材もしくはそれに付随する部材により、遊技球の流下方向に対して直交する方向にスライド移動可能に支持されている。また、出没部材３２の移動範囲も遊技球通路２１を支持している部材もしくはそれに付随する部材に規制されている。なお、出没部材３２をスライド移動可能に支持する部材は、どのような部材であってもよく、出没部材３２を移動範囲内で移動方向に案内可能に支持する構造になっていればよい。
【００３６】
出没部材３２の移動範囲は、図４（ｂ），（ｃ）に示すように、出没部材３２の先端部が、レール状部材２３の側壁部２２の内側面からの突出長さと同様の長さだけ側壁部２２の内側面から突出した位置と、出没部材３２の先端部端面が側壁部の内側面と略同じ（同一平面上）になる位置との間である。
【００３７】
また、出没部材３２のこの移動範囲において、出没部材３２の先端部と、それに対向するレール状部材の先端部間の距離は、上述の遊技球の直径より短いレール状部材間の距離から遊技球の直径以上の距離（例えば、直径より少しだけ長い距離）までの範囲で変更可能になる。
【００３８】
したがって、球抜取装置３１において、図４（ｂ）に示すように、出没部材３２が側壁部２２の内側面から突出した状態では、遊技球通路２１を流下する遊技球を支持することが可能で、図４（ｃ）に示すように、出没部材３２が側壁部２２の内側面に没した状態では、球抜取装置３１の位置で遊技球を落下させることができる。
【００３９】
この際に出没部材３２の移動量は、例えば、側壁部２２から最も突出した状態の出没部材３２の側壁部２２の内側面からの突出長さと略等しくなる。
最低限必要な出没部材３２の移動量は、一対のレール状部材２３どうしの上述の間隔または、上述の間隔と略同様になる突出した状態の出没部材３２と他方のレール状部材２３との間の間隔を遊技球の直径から減算した長さであり、基本的に出没部材３２の移動量は、遊技球の直径より短くなる。
【００４０】
図４（ｄ）は、比較例として、左右の側壁部５２，５２の間に底板５３を備える遊技球通路を示し、図４、（ｅ）、（ｆ）は、この遊技球通路における球抜取装置を示すもので、この比較例の球抜取装置では、遊技球通路の底板５３と別部材にされた移動底板５４を有するものとなっている。移動底板５４は、側壁部５２，５２どうしの間の部分の形状が底板５３と同様の形状にされている。
【００４１】
また、移動底板５４の一方の側壁部５２の外側に配置される部分は、一対の側壁部５２どうしの間に配置される部分より厚くされて、上に突出する形状を有する。移動底板５４は、出没部材３２と同様に遊技球の流下方向に直交する方向に移動自在に支持されている。
移動底板５４の移動量は、遊技球を遊技球通路から落下させるために遊技球の直径以上の距離になる。
【００４２】
したがって、出没部材３２の移動量は、比較例の移動底板５４の移動量よりかなり短くすることが可能になっている。
なお、出没部材３２の移動は、遊技機の前面側から遊技者により操作可能にする必要があり、例えば、遊技機の前面側にスライドレバー（図示略）を設け、スライドレバーと、出没部材３２とを連結して、出没部材３２をスライドレバーで出没動作させる必要がある。
【００４３】
この遊技機の遊技球通路においては、一対のレール状部材２３どうしの間が開放された状態となっているので、上皿７側から液体や粉塵等のごみが入り込んでも、遊技球通路２１の下側に落とすことができる。したがって、遊技球通路２１が汚れるのを抑制することができ、汚れにより遊技球の流下が妨げられるのを抑制できるとともに遊技球通路２１のメンテナンスを容易にできる。
【００４４】
また、レール状部材２３どうしの距離が、通常の遊技球の直径より短く、不正行為で使用される小球径寸法より長くなっていれば、小球は遊技球通路２１を流下して遊技球発射装置１４に至ることがなく、遊技球通路２１から下方に落下する。例えば、この落下した遊技球を下皿に流下する構造とすることにより、小球の使用不能にするとともに、下皿に回収することができる。
【００４５】
また、球抜取装置においては、球の抜き取りの際に移動する部材の移動量を従来に比較してかなり少なくできるので、それに基づいて球抜取装置を小型化し、遊技機内のスペース効率の向上を図ることができる。
【００４６】
なお、出没部材３２の遊技球の流下方向に沿った長さを略遊技球の直径と同様としたが、遊技球は、球体なので、左右幅が広いのは中央部だけとなり、出没部材３２の長さは、出没部材３２と他方のレール状部材２３との間隔にもよるが、遊技球の直径より短くすることが可能である。出没部材３２の長さを短くすることにより、出没部材３２を移動自在に支持する部材の小型化や、出没部材３２の移動を操作する部材の小型化を図れるようにすることができる。
【００４７】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００４８】
３      遊技盤
１２    遊技領域
１４    遊技球発射装置
２１    遊技球通路
２２    側壁部
２３    レール状部材
３１    球抜取装置
３２    出没部材（一方のレール状部材の一部）
【図１】
2013226171.tif 000003
【図２】
2013226171.tif 000004
【図３】
2013226171.tif 000005
【図４】
2013226171.tif 000006